(57)【特許請求の範囲】
【請求項１】
自動車のクーラコンデンサに接続されるクーラ配管の接続部のカバー構造であって、
前記クーラ配管を前記クーラコンデンサに固定するためのブラケットを備えたクーラ配管の接続部を覆うカバー前部と、
当該カバー前部からクーラ配管の長手方向に延設され前記クーラ配管を挟み込む配管挟持部と、
前記カバー前部に対して開閉可能に設けられたカバー後部と
を備え、
前記配管挟持部は、前記クーラ配管に当該クーラ配管の長手方向と垂直方向に押し込むための開放部と、前記クーラ配管に嵌合する保持部とからなり、
前記カバー後部を閉鎖した状態では、前記クーラ配管の接続部が外部から見えない状態となることを特徴とするクーラ配管の接続部のカバー構造。
【請求項２】
前記カバー前部、前記カバー後部及び前記配管挟持部は、樹脂により一体形成され、且つ、クーラコンデンサの色と同一色であることを特徴とする請求項１に記載のクーラ配管の接続部のカバー構造。
【請求項３】
前記ブラケットには、前記クーラ配管の接続部を前記クーラコンデンサに固定するためのボルトが設けられ、前記カバー後部を開放すると、当該ボルトの着脱が可能であることを特徴とする請求項１又は２に記載のクーラ配管の接続部のカバー構造。
【発明の詳細な説明】
【０００１】
【発明の属する技術分野】
本発明は自動車のクーラコンデンサに接続されるクーラ配管の接続部のカバー構造に関する。
【０００２】
【従来の技術】
図７に示すように、従来、自動車に用いられるクーラコンデンサ５０の横方向の端部には、冷媒を上下方向に輸送する配管５１が設けられ、配管５１には、クーラ配管６０が取り付けられる取付部５２が溶接により固着されており、当該取付部５２には、クーラ配管６０の水平部６２の先端部６２ａが挿入される配管孔５３と、ボルト孔５４とが設けられている。
【０００３】
クーラ配管６０は、上下方向に延設された垂直部６１と、当該垂直部６１を垂直に折り曲げて延設された水平部６２とからなる逆Ｌ字形状に形成されており、水平部６２の先端部６２ａが取付部５２に挿入可能となっている。水平部６２には、取付部５２に当接してクーラ配管６０を固定するためのブラケット６３が嵌合され、ブラケット６３には、ブラケット６３を取付部５２に固定するボルト５５が貫通する貫通孔６３ａが形成されている。尚、ブラケット６３には、垂直部６１を挟み込む配管保持部６４が延設されている。そして、クーラ配管６０の水平部６２の先端部６２ａを取付部５２の配管孔５３に挿入してボルト５５によりブラケット６３を取付部５２に締め付けてクーラ配管６０をクーラコンデンサ５０の取付部５２に固定するようにしていた。
【０００４】
上記の構成を有するクーラコンデンサ５０は、機能上、一般的に車両の最前部に配置されている。従って、クーラコンデンサ５０に接続するクーラ配管６０も最前部となり、ラジエターグリル、バンパー等の開口部（通風冷却路）からクーラ配管６０が見えることになる。クーラ配管６０は、通常アルミニウムが用いられるので、アルミの地色である白色となっている。ラジエターグリル、バンパー等の開口部の奥に白色部品が見えると見栄えが悪化するため、このクーラ配管６０には、塗装や鍍金等により黒色化を実施している。
【０００５】
【発明が解決しようとする課題】
しかしながら、クーラ配管６０に、塗装や鍍金等により黒色化を実施すると、コスト高となってしまうと言う問題点があった。
【０００６】
本発明は、上記課題を解決するためになされたものであり、クーラ配管の黒色化を実施せずに見栄えを向上できるクーラ配管の接続部のカバー構造を提供することを目的とする。
【０００７】
【課題を解決するための手段】
上記目的を達成するために、請求項１に記載のクーラ配管の接続部のカバー構造は、自動車のクーラコンデンサに接続されるクーラ配管の接続部のカバー構造であって、前記クーラ配管を前記クーラコンデンサに固定するためのブラケットを備えたクーラ配管の接続部を覆うカバー前部と、当該カバー前部からクーラ配管の長手方向に延設され前記クーラ配管を挟み込む配管挟持部と、前記カバー前部に対して開閉可能に設けられたカバー後部とを備え、前記配管挟持部は、前記クーラ配管に当該クーラ配管の長手方向と垂直方向に押し込むための開放部と、前記クーラ配管に嵌合する保持部とからなり、前記カバー後部を閉鎖した状態では、前記クーラ配管の接続部が外部から見えない状態となることを特徴とする構成となっている。
【０００８】
この構成のクーラ配管の接続部のカバー構造では、カバー前部がクーラ配管を前記クーラコンデンサに固定するためのブラケットを備えたクーラ配管の接続部を覆い、配管挟持部がクーラ配管を挟み込み、配管挟持部の開放部からクーラ配管に当該クーラ配管の長手方向と垂直方向に押し込むと、保持部により当該クーラ配管に嵌合保持され、カバー前部に対して開閉可能に設けられたカバー後部を閉鎖した状態では、クーラ配管の接続部が外部から見えない状態となる。
【０００９】
また、請求項２に記載のクーラ配管の接続部のカバー構造では、請求項１に記載のクーラ配管の接続部のカバー構造の構成に加えて、前記カバー前部、前記カバー後部及び前記配管挟持部は、樹脂により一体形成され、且つ、クーラコンデンサの色と同一色であることを特徴とする構成となっている。
【００１０】
この構成のクーラ配管の接続部のカバー構造では、請求項１に記載のクーラ配管の接続部のカバー構造の作用に加えて、カバー前部、カバー後部及び配管挟持部は、樹脂により一体形成され、且つ、クーラコンデンサの色と同一色であるので、安価で見栄えが悪化することがない。
【００１１】
【００１２】
【００１３】
また、請求項３に記載のクーラ配管の接続部のカバー構造では、請求項１又は２に記載のクーラ配管の接続部のカバー構造の構成に加えて、前記ブラケットには、前記クーラ配管の接続部を前記クーラコンデンサに固定するためのボルトが設けられ、前記カバー後部を開放すると、当該ボルトの着脱が可能であることを特徴とする構成となっている。
【００１４】
この構成のクーラ配管の接続部のカバー構造では、請求項１又は２に記載のクーラ配管の接続部のカバー構造の作用に加えて、カバー後部を開放すると、クーラ配管の接続部を前記クーラコンデンサに固定するためのボルトの着脱が可能である。
【００１５】
【発明の実施の形態】
以下、本発明を具体化したクーラ配管の接続部のカバー構造の一実施の形態について図面を参照して説明する。尚、クーラ配管及びクーラコンデンサの構造については、従来と同様なので、図７に示す従来技術の斜視図を参照して説明する。本発明の一実施の形態であるクーラ配管の接続部のカバー１が用いられるのは、図７に示す自動車に用いられるクーラコンデンサ５０へのクーラ配管６０の接続部である。このクーラコンデンサ５０の横方向の端部には、冷媒を上下方向に輸送する配管５１が設けられ、配管５１には、クーラ配管６０が取り付けられる取付部５２が溶接により固着されており、当該取付部５２には、クーラ配管６０の水平部６２の先端部６２ａが挿入される配管孔５３と、ボルト孔５４とが設けられている。
【００１６】
クーラ配管６０は、上下方向に延設された垂直部６１と、当該垂直部６１を垂直に折り曲げて延設された水平部６２とからなる逆Ｌ字形状に形成されており、水平部６２の先端部６２ａが取付部５２に挿入可能となっている。水平部６２には、取付部５２に当接してクーラ配管６０を固定するためのブラケット６３が嵌合され、ブラケット６３には、ブラケット６３を取付部５２に固定するボルト５５が貫通する貫通孔６３ａが形成されている。尚、ブラケット６３には、垂直部６１を挟み込む配管保持部６４が延設されている。そして、クーラ配管６０の水平部６２の先端部６２ａを取付部５２の配管孔５３に挿入してボルト５５によりブラケット６３を取付部５２に締め付けてクーラ配管６０をクーラコンデンサ５０の取付部５２に固定する。しかし、このままの状態では、見栄えが悪くなるので、図１乃至図６に示すカバー１を用いる。
【００１７】
以下、図１乃至図６を参照して、カバー１の構造を説明する。図１は、カバー１を展開した状態の斜視図であり、図２は、カバー１の展開した状態の正面図であり、図３は、カバー１のカバー後部４を閉じた状態の側面図あり、図４は、カバー１の展開した状態の底面図であり、図５は、カバー１にクーラ配管６０を嵌め込んだ状態でカバー後部４を開いた状態の斜視図であり、図６は、カバー１にクーラ配管６０を嵌め込んだ状態でカバー後部４を閉じた状態の斜視図である。
【００１８】
図１乃至図４に示すように、カバー１は、黒色の樹脂から構成され、前後両方向が開放されたカバー前部２と、当該カバー前部２の下部に延設され、クーラ配管６０の垂直部６１を挟み込む水平断面略Ｕ字形状の配管挟持部３と、当該カバー前部２とヒンジ部５を介して接続され、カバー前部２の後部の開放空間（配管挟持部３の上部）を閉鎖するドーム形状のカバー後部４とから構成され、これらの構成要素は黒色の樹脂から一体成形されている。
【００１９】
また、カバー後部４の下部には、カバー後部４をカバー前部２に固定するためのフック４ａが設けられ、カバー前部２の下部には、このフック４ａの先端が挿入されるフック把持部２ａが形成されている。従って、カバー後部４をカバー前部２に当接させてフック４ａの先端部をフック把持部２ａに挿入するとカバー後部４がロックされる。また、フック４ａの後端部を押圧すると、ロックが解除されて、カバー後部４が開放されることになる。
【００２０】
尚、配管挟持部３には、クーラ配管６０の垂直部６１を挟み込むために内側に折り曲げられた折曲部３ａ、３ａが形成され、その奥に保持部３ｂが形成されている。この折曲部３ａ、３ａの間は開放部となっており、ここにクーラ配管６０の垂直部６１を挿入して押し込むと、折曲部３ａ、３ａが撓んでクーラ配管６０の垂直部６１が保持部３ｂに入り、撓んだ折曲部３ａ、３ａが戻って、保持部３ｂによりクーラ配管６０の垂直部６１に保持されるようになっている。また、カバー後部４には、クーラ配管６０の垂直部６１が通るための半円弧状の切欠部４ｃが形成されている。
【００２１】
次に、図５及び図６を参照して、カバー１の使用状態について説明する。図５に示すように、カバー１には、カバー後部４を開放した状態で、クーラ配管６０の垂直部６１を配管挟持部３の折曲部３ａ、３ａに当接させて押し込むと垂直部６１が保持部３ｂに到達して保持される。このときに、ブラケット６３は、カバー前部２内に入ることになる。この状態で、ブラケット６３の貫通孔６３ａにボルト５５を貫通させて、クーラコンデンサ５０の取付部５２のボルト孔５４にねじ込んで、クーラコンデンサ５０にクーラ配管６０を固定する。その後、図６に示すように、カバー後部４をカバー前部２に当接させてフック４ａの先端部をフック把持部２ａに挿入してカバー後部４を閉じてロックする。
【００２２】
また、クーラのサービスを行うときには、カバー後部４のフック４ａの後端部を押圧して、フック４ａをフック把持部２ａから離脱させてロックを解除し、カバー後部４を開けて、ボルト５５を緩めて外すと、クーラコンデンサ５０からクーラ配管６０を外すことができる。
【００２３】
以上説明したように、本実施の形態のクーラ配管の接続部のカバー構造では、クーラ配管６０の水平部６２と、ブラケット６３と、ボルト５５を黒色のカバー１で覆うことが出来るので、クーラ配管６０の水平部６２と、ブラケット６３と、ボルト５５等が外部から見えず見栄えが向上する。また、クーラ配管６０の水平部６２と、ブラケット６３と、ボルト５５等を黒色に塗装や鍍金する必要がないので、費用を削減できる。また、予めクーラ配管６０にカバー１を組み付けておけば、組み付け忘れを防止できる。また、クーラの点検、修理等の際に、クーラ配管６０をクーラコンデンサ５０から取り外しても、クーラ配管６０にカバー１が嵌合しているので、カバー１を紛失することがない。さらに、カバー１により、ブラケット６３やボルト５５が覆われるので、この近くに有る部品等のサービスの際に手が触れても怪我を防止できる。
【００２４】
尚、本発明は上記の実施の形態に限られず、各種の変形が可能である。たとえば、カバー１の色は、必ずしも黒に限られず、クーラコンデンサ５０と同一色か又は同種の色であれば良い。また、クーラ配管６０をクーラコンデンサ５０に固定した後で、カバー１をクーラ配管６０に取付けるようにしてもよい。さらに、カバー後部４をカバー前部２に対してヒンジ部５により連結せずに、着脱可能としてもよい。
【００２５】
【発明の効果】
以上説明したように、請求項１に係るこの構成のクーラ配管の接続部のカバー構造では、カバー前部がクーラ配管を前記クーラコンデンサに固定するためのブラケットを備えたクーラ配管の接続部を覆い、配管挟持部がクーラ配管を挟み込み、カバー前部に対して開閉可能に設けられたカバー後部を閉鎖した状態では、クーラ配管の接続部が外部から見えない状態となるので、見栄えを良くすることができる。また、配管挟持部の開放部からクーラ配管を当該クーラ配管の長手方向と垂直方向に押し込むと、保持部により当該クーラ配管に保持されるので、組み付けが容易になる。さらに、予めクーラ配管にカバーを組み付けておけば、組み付け忘れを防止できる。また、クーラの点検、修理等の際に、クーラ配管をクーラコンデンサから取り外しても、クーラ配管にカバーが嵌合しているので、カバーを紛失することがない。
【００２６】
また、請求項２に記載のクーラ配管の接続部のカバー構造では、請求項１に記載のクーラ配管の接続部のカバー構造の効果に加えて、カバー前部、カバー後部及び配管挟持部は、樹脂により一体形成され、且つ、クーラコンデンサの色と同一色であるので、安価で見栄えが悪化することがない。
【００２７】
【００２８】
また、請求項３に記載のクーラ配管の接続部のカバー構造では、請求項１又は２に記載のクーラ配管の接続部のカバー構造の効果に加えて、カバー後部を開放すると、クーラ配管の接続部を前記クーラコンデンサに固定するためのボルトの着脱が可能である。従って、カバーをクーラ配管から取外すことなく、容易にクーラ配管の接続部を前記クーラコンデンサから着脱することができる。
【図面の簡単な説明】
【図１】  図１は、カバー１を展開した状態の斜視図である。
【図２】  図２は、カバー１を展開した状態の正面図である。
【図３】  図３は、カバー１のカバー後部４を閉じた状態の側面図ある。
【図４】  図４は、カバー１を展開した状態の底面図である。
【図５】  図５は、カバー１をクーラ配管６０に嵌め込んだ状態でカバー後部４を開いた状態の斜視図である。
【図６】  図６は、カバー１をクーラ配管６０に嵌め込んだ状態でカバー後部４を閉じた状態の斜視図である。
【図７】  図７は、従来のクーラ配管とクーラコンデンサを示す図である。
【符号の説明】
１    カバー
２    カバー前部
３    配管挟持部
３ａ  折曲部
３ｂ  保持部
４    カバー後部
５    ヒンジ部
５０    クーラコンデンサ
６０    クーラ配管
６３    ブラケット
【図１】
0003929821.tif 000002
【図２】
0003929821.tif 000003
【図３】
0003929821.tif 000004
【図４】
0003929821.tif 000005
【図５】
0003929821.tif 000006
【図６】
0003929821.tif 000007
【図７】
0003929821.tif 000008